(57)【特許請求の範囲】
【請求項１】
録画した放送番組の番組情報に基づいて録画番組の情報を選択可能な状態で表示させる表示制御手段を備えた録画番組管理装置であって、
前記番組情報には、放送番組が何れの番組ジャンルに属しているかを示すジャンル情報が含まれ、さらに該ジャンル情報には、大ジャンルの区分を示す大ジャンル情報と、大ジャンルをさらに区分した中ジャンルの区分を示す中ジャンル情報とが含まれ、
前記表示制御手段は、
横長の複数のリスト枠を縦方向に並べて各リスト枠の中に各録画番組の情報を表示する第１表示枠と、
この第１表示枠の上側に配置され選択された前記リスト枠の録画番組の詳細情報が表示される第２表示枠と、
前記第１表示枠の右側に配置され前記リスト枠が選択決定されたときにさらに選択可能となる複数の操作ボタンが表示される第３表示枠とを生成するとともに、
前記ジャンル情報に基づき同一ジャンルの複数の録画番組を集約して前記第１表示枠の１つの前記リスト枠に表示させ、且つ、このリスト枠を三次元的に複数の枠を重ねた多重表示態様にする第１リスト表示画面と、
同一ジャンルの複数の録画番組の情報の各々を前記第１表示枠の個々の前記リスト枠に表示させ、且つ、これらのリスト枠を三次元的に複数の枠を重ねた多重表示態様にする第２リスト表示画面とを、それぞれ生成可能であり、
前記第３表示枠には、
前記大ジャンル情報に基づき区分されたリスト表示から前記中ジャンルに基づき区分されたリスト表示への切り換えを指令する操作ボタンと、
前記第１リスト表示画面と前記第２リスト表示画面との切り換えを指令する操作ボタンと、が表示され、
さらに、前記表示制御手段は、
前記第１リスト表示画面に切り換えられている場合は、前記多重表示態様のリスト枠の左右に、当該リスト枠が選択された状態でカーソル操作がなされることで該リスト枠の情報が同一ジャンルの他の録画番組の情報に切り換えられていくことを示す左右に向いたマークを表示するとともに、
前記第１リスト表示画面において前記多重表示態様のリスト枠が選択された状態でカーソル操作がなされることで該リスト枠の情報を同一ジャンルの他の録画番組の情報に切り換える一方、
前記第２リスト表示画面に切り換えられている場合は、前記多重表示態様のリスト枠の左右に、前記左右に向いたマークが表示せずに、
前記第２リスト表示画面において前記多重表示態様のリスト枠が選択されて所定の操作がなされた場合に、選択された録画番組と同一ジャンルの録画番組の情報のみが抽出されて前記複数のリスト枠に表示されるリスト表示に切り換える
ことを特徴とする録画番組管理装置。
【請求項２】
録画した放送番組の番組情報に基づいて録画番組の情報を選択可能な状態で表示させる表示制御手段を備えた録画番組管理装置であって、
前記番組情報には、放送番組が何れの番組ジャンルに属しているかを示すジャンル情報が含まれ、
前記表示制御手段は、
複数のリスト枠を表示して各リスト枠の中に個々の録画番組の情報を表示するとともに、前記ジャンル情報に基づき同一ジャンルの複数の録画番組は集約して１つの前記リスト枠に対応させ、且つ、このリスト枠を三次元的に複数の枠を重ねた多重表示態様にする第１リスト表示画面と、
複数のリスト枠を表示して各リスト枠の中に個々の録画番組の情報を表示するとともに、前記ジャンル情報に基づき同一ジャンルの複数の録画番組が存在する場合に、これら複数の録画番組の情報の各々を個々の前記リスト枠に表示させ、且つ、これらのリスト枠を三次元的に複数の枠を重ねた多重表示態様にする第２リスト表示画面と、
を生成可能であるとともに、
前記第１リスト表示画面と前記第２リスト表示画面は選択的に切り換え可能であり、
さらに、前記表示制御手段は、
前記第１リスト表示画面において前記多重表示態様のリスト枠が選択された状態でカーソル操作がなされることで該リスト枠の情報を同一ジャンルの他の録画番組の情報に切り換える一方、
前記第２リスト表示画面において前記多重表示態様のリスト枠が選択されて所定の操作がなされた場合に、選択された録画番組と同一ジャンルの録画番組の情報のみが抽出されて前記複数のリスト枠に表示されるリスト表示に切り換える
ことを特徴とする録画番組管理装置。
【請求項３】
前記表示制御手段は、
前記第１リスト表示画面に切り換えられている場合は、前記多重表示態様のリスト枠の左右に、当該リスト枠が選択された状態でカーソル操作がなされることで該リスト枠の情報が同一ジャンルの他の録画番組の情報に切り換えられていくことを示す左右に向いたマークを表示し、
前記第２リスト表示画面に切り換えられている場合は、前記多重表示態様のリスト枠の左右に、前記左右に向いたマークが表示しないことを特徴とする請求項２に記載の録画番組管理装置。
【請求項４】
前記ジャンル情報には、大ジャンルの区分を示す大ジャンル情報と、大ジャンルをさらに区分した中ジャンルの区分を示す中ジャンル情報とが含まれ、
前記第１リスト表示画面又は前記第２リスト表示画面において録画番組を区分するための前記ジャンル情報を、前記大ジャンル情報または中ジャンル情報に切り換え可能としたことを特徴とする請求項２に記載の録画番組管理装置。
【請求項５】
前記ジャンル情報には、大ジャンルの区分を示す大ジャンル情報と、大ジャンルをさらに区分した中ジャンルの区分を示す中ジャンル情報とが含まれ、
前記大ジャンル情報に基づき番組情報が区分された前記第１リスト表示画面において前記多重表示態様のリスト枠が選択されて所定の操作がなされた場合に、該リスト枠の番組情報と同一の大ジャンル情報を有する番組情報を抽出し、これらの番組情報を中ジャンル情報に基づき区分して前記第１リスト表示画面を生成することを特徴とする請求項２に記載の録画番組管理装置。
【請求項６】
前記ジャンル情報には、大ジャンルの区分を示す大ジャンル情報と、大ジャンルをさらに区分した中ジャンルの区分を示す中ジャンル情報とが含まれ、
前記大ジャンル情報に基づいて番組情報が区分され生成された前記第２リスト表示画面において前記多重表示態様のリスト枠が選択されて所定の操作がなされた場合に、該リスト枠の番組情報と同一の大ジャンル情報を有する番組情報を抽出し、これらの番組情報を中ジャンル情報に基づき区分して前記第２リスト表示画面を生成することを特徴とする請求項２に記載の録画番組管理装置。
【請求項７】
前記第１リスト表示画面および前記第２リスト表示画面において、前記多重表示態様のリスト枠の中にジャンル情報に関する情報表示がなされることを特徴とする請求項２〜６の何れかに記載の録画番組管理装置。
【請求項８】
前記第１リスト表示画面および前記第２リスト表示画面は、
横長の前記リスト枠が縦方向に複数並べられた第１表示枠と、
この第１表示枠の上側に配置され選択された前記リスト枠の録画番組の詳細情報が表示される第２表示枠と、
前記第１表示枠の右側に配置され前記リスト枠が選択決定されたときにさらに選択可能となる複数の操作ボタンが表示される第３表示枠と、
を有し、
前記第３表示枠には、選択決定された前記多重表示態様のリスト枠について前記大ジャンル情報に基づくリスト表示から前記中ジャンル情報に基づくリスト表示への切り換えを指令する操作ボタンが表示されていることを特徴とする請求項２に記載の録画番組管理装置。
【請求項９】
前記第１リスト表示画面および前記第２リスト表示画面は、
横長の前記リスト枠が縦方向に複数並べられた第１表示枠と、
この第１表示枠の上側に配置され選択された前記リスト枠の録画番組の詳細情報が表示される第２表示枠と、
前記第１表示枠の右側に配置され前記リスト枠が選択決定されたときにさらに選択可能となる複数の操作ボタンが表示される第３表示枠と、
を有し、
前記第３表示枠には、前記第１リスト表示画面と前記第２リスト表示画面との切り換えを指令する操作ボタンが表示されていることを特徴とする請求項２に記載の録画番組管理装置。
【発明の詳細な説明】
【技術分野】
【０００１】
この発明は、ＨＤＤレコーダなどの録画機器において録画番組の情報をユーザに選択可能な状態で表示させる録画番組管理装置に関する。
【背景技術】
【０００２】
近年、放送番組の録画機器では録画データを保存するのに大容量のＨＤＤ（ハードディスク）等を使用することによって、非常に多数の録画番組を保存することが可能となっている。録画番組を再生する場合には、録画番組を示すタイトルやサムネイルなどの情報を画面に表示させ、それをユーザが選択するようにするのが一般的である。
【０００３】
従来、放送番組の情報をユーザに提示して選択させるのに有用な技術が、特許文献１〜特許文献４に開示されている。特許文献１には、電子番組表においてジャンルや番組名などの所望のカテゴリー単位でカーソルを移動できるようにした技術が開示されている。特許文献２には、番組表示の検索画面上に機能設定画面をウィンドウ形式で重ね表示することで操作性を向上させる技術が開示されている。特許文献３には、番組ジャンルを選択することでそのジャンルの放送番組のシリーズ名を一覧表示して放送番組の選択を容易にする技術が開示されている。特許文献４には、電子番組表においてジャンルごとに色分けするのに色分けするジャンル分類の優先順位を変更できるようにした技術が開示されている。
【特許文献１】特開２００５−２２９２４６号公報（段落０００６）
【特許文献２】特開２００５−００６０４２号公報
【特許文献３】特開２００３−２９８９６３号公報
【特許文献４】特開２００３−１３４４１２号公報（第７頁、第３図）
【発明の開示】
【発明が解決しようとする課題】
【０００４】
一般的な録画機器においても、近年の記憶媒体の大容量化に伴い、保存できる録画番組数は例えば５００個を超える場合があるなど非常に大きな数になっている。録画番組を確認するときには、例えば録画番組のタイトルなどをリスト表示してユーザにより選択可能な状態にするが、録画番組が１００個や２００個もある場合、録画番組のリスト表示は１画面で収まるはずもなく、数十ページや百ページ近くに及ぶこともある。
【０００５】
このように多数の録画番組が保存されている場合には、所望の録画番組を探しだすこと自体が煩雑な作業になってしまう。
【０００６】
この発明の目的は、非常に多数の録画番組が保存されている場合でも、再生する録画番組を効率良く探し出すことのできる録画番組管理装置を提供することにある。
【課題を解決するための手段】
【０００７】
本発明は、上記目的を達成するため、録画した放送番組の番組情報に基づいて録画番組の情報を選択可能な状態で表示させる表示制御手段を備えた録画番組管理装置であって、前記番組情報には、放送番組が何れの番組ジャンルに属しているかを示すジャンル情報が含まれ、前記表示制御手段は、複数のリスト枠を表示して各リスト枠の中に個々の録画番組の情報を表示するとともに、前記ジャンル情報に基づき同一ジャンルの複数の録画番組は集約して１つの前記リスト枠に対応させ、且つ、このリスト枠を三次元的に複数の枠を重ねた多重表示態様にする第１リスト表示画面を生成可能な構成とした。
【０００８】
さらに、前記第１リスト表示画面において前記多重表示態様のリスト枠が選択された状態でカーソル操作がなされることで該リスト枠の情報が同一ジャンルの他の録画番組の情報に切り換えられていく構成とした。
【０００９】
このような手段によれば、第１リスト表示画面により、同一ジャンルの録画番組が一つにまとめられてリスト表示されるので、非常に多数の録画番組が保存されている場合に、リスト数を減らしてユーザが録画番組を探しやすいようにすることが出来る。また、同一ジャンルの録画番組のリスト枠は多重表示態様にされているので、同一ジャンルの複数の録画番組がまとめられていることをユーザに直感的に認識させることが出来る。
【００１０】
また、本発明は、上記目的を達成するため、録画した放送番組の番組情報に基づいて録画番組の情報を選択可能な状態で表示させる表示制御手段を備えた録画番組管理装置であって、前記番組情報には、放送番組が何れの番組ジャンルに属しているかを示すジャンル情報が含まれ、前記表示制御手段は、複数のリスト枠を表示して各リスト枠の中に個々の録画番組の情報を表示するとともに、前記ジャンル情報に基づき同一ジャンルの複数の録画番組が存在する場合に、これら複数の録画番組の情報の各々を個々の前記リスト枠に表示させ、且つ、これらのリスト枠を三次元的に複数の枠を重ねた多重表示態様にする第２リスト表示画面を生成可能な構成とした。
【００１１】
さらに、前記第２リスト表示画面において前記多重表示態様のリスト枠が選択されて所定の操作がなされた場合に、選択された録画番組と同一ジャンルの録画番組の情報のみが抽出されて前記複数のリスト枠に表示されるリスト表示に切り換えられる構成とした。
【００１２】
このような手段によれば、特定の録画番組を捜すのではなく、なんとなく見たい録画番組を捜すような場合に有効な表示画面とすることが出来る。すなわち、ユーザは、第２リスト表示画面において録画番組の一覧を眺めつつ、この録画番組と似たような感じの番組を視聴したいなぁと思うような録画番組を見つけ出す。見つけたら、この録画番組のリスト枠を選択して所定の操作を行うことで、これらと同一ジャンルの録画番組のみが抽出されてリスト表示される。なので、その中から、未視聴のものや更に好みの録画番組を捜すことで、その時々の感覚に一番合った丁度良い録画番組を容易に捜し出すことが出来る。
【００１３】
また、本発明は、前記第１リスト表示画面と前記第２リスト表示画面とを選択的に切換え可能な構成とした。さらに、前記第１リスト表示画面に切り換えられている場合は、前記多重表示態様のリスト枠の左右に、当該リスト枠が選択された状態でカーソル操作がなされることで該リスト枠の情報が同一ジャンルの他の録画番組の情報に切り換えられていくことを示す左右に向いたマークが表示され、前記第２リスト表示画面に切り換えられている場合は、前記多重表示態様のリスト枠の左右に、前記左右に向いたマークが表示されないように構成すると良い。
【００１４】
これにより、視聴したい録画番組を特定しているときには第１リスト表示画面から捜し、視聴したい録画番組を特定していないときなどには第２リスト表示画面を用いて捜すなど、その時々の録画番組の捜し方によって使い分けることが出来る。
【００１５】
さらに望ましくは、前記ジャンル情報には、大ジャンルの区分を示す大ジャンル情報と、大ジャンルをさらに区分した中ジャンルの区分を示す中ジャンル情報とが含まれ、前記第１リスト表示画面又は前記第２リスト表示画面において録画番組を区分するための前記ジャンル情報を、前記大ジャンル情報または中ジャンル情報に切り換え可能なように構成すると良い。
【００１６】
これにより、大ジャンルによる区分と中ジャンルによる区分とを使い分けて、録画番組の捜索をより容易にすることが出来る。
【００１７】
具体的には、前記大ジャンル情報に基づき番組情報が区分された前記第１リスト表示画面において前記多重表示態様のリスト枠が選択されて所定の操作がなされた場合に、該リスト枠の番組情報と同一の大ジャンル情報を有する番組情報を抽出し、これらの番組情報を中ジャンル情報に基づき区分して前記第１リスト表示画面を生成するようにしても良い。
【００１８】
また具体的には、前記大ジャンル情報に基づいて番組情報が区分され生成された前記第２リスト表示画面において前記多重表示態様のリスト枠が選択されて所定の操作がなされた場合に、該リスト枠の番組情報と同一の大ジャンル情報を有する番組情報を抽出し、これらの番組情報を中ジャンル情報に基づき区分して前記第２リスト表示画面を生成するようにしても良い。
【００１９】
このように、大ジャンルから中ジャンルと階層的に辿っていくことで所望の録画番組に容易に辿りつかせることが出来る。
【００２０】
また望ましくは、前記多重表示態様のリスト枠の中にはジャンル情報に関する情報表示（例えば、大ジャンルや中ジャンルの名称表示、同一ジャンルの録画番組の総数表示、同一ジャンルの録画番組のうち何番目の録画番組かを示す通し番号表示など）を行うようにすると良い。
【００２１】
さらに望ましくは、前記第１リスト表示画面または前記第２リスト表示画面は、横長の前記リスト枠が縦方向に複数並べられた第１表示枠と、この第１表示枠の上側に配置され選択された前記リスト枠の録画番組の詳細情報が表示される第２表示枠と、前記第１表示枠の右側に配置され前記リスト枠が選択決定されたときにさらに選択可能となる複数の操作ボタンが表示される第３表示枠と、を有し、前記第３表示枠には、選択決定された前記多重表示態様のリスト枠について前記大ジャンルに基づくリスト表示から前記中ジャンルに基づくリスト表示への切り換えを指令する操作ボタンが表示されると良い。
【００２２】
このような構成によれば、録画番組の捜索時にも大ジャンルの区分と中ジャンルの区分とに表示を切り換えることが出来るので、大ジャンル区分から中ジャンル区分へと階層的にたどって所望の録画番組を容易に見つけ出すことが可能となる。
【００２３】
さらに、望ましくは、前記第３表示枠には、前記第１リスト表示画面と前記第２リスト表示画面との切り換えを指令する操作ボタンが表示されると良い。
【００２４】
このような構成によれば、録画番組の捜索時にも第１リスト表示画面と第２リスト表示画面とを適宜切り換えることが出来るので、両方を使い分けながら捜索を行うようなユーザにも対応することが出来る。
【発明の効果】
【００２５】
以上説明したように、本発明に従うと、百個オーダーの録画番組が保存され、録画番組情報をリスト表示させたときに数十ページにも渡ってしまうような場合でも、ユーザが所望の録画番組を効率良く探し出せるようにすることが出来るという効果がある。
【発明を実施するための最良の形態】
【００２６】
以下、本発明の実施の形態を図面に基づいて説明する。
【００２７】
図１は、本発明の実施の形態の録画番組管理装置を搭載した録画装置の全体構成を示すブロック図である。
【００２８】
この実施の形態の録画装置１は、例えば地上デジタル放送用のチューナを備えたハードディスクレコーダであり、アンテナ１０により受信した放送信号を選択的に入力するデジタルチューナなどの受信部１１と、放送データからコンテンツデータ（映像データおよび音声データ）と番組情報とを分離する番組情報分離部１２と、録画番組のコンテンツデータや録画番組の管理データなどを記録する記憶媒体としてのハードディスク１３と、録画時に受信部１１側から送られてくるコンテンツデータをハードディスク１３に書き込んだり再生時にハードディスク１３からコンテンツデータを読み出したりするコンテンツ制御部１４と、再生又は放送受信したコンテンツデータをデコードして映像信号と音声信号を生成するデコード部１５と、録画した放送番組の番組情報を管理してハードディスク１３に書き込んだり読み出したりする番組情報管理制御部１６と、該制御部１６から録画番組の管理データを受けて後述のメニュー画面や録画番組リストの表示画面の表示信号を生成するメニュー表示制御部１７と、デコード部１５やメニュー表示制御部１７からの表示信号を選択的に出力したり多重化して出力する多重化部１８等を備えている。これらの構成のうち、番組情報管理制御部１６とメニュー表示制御部１７により、本発明に係る表示制御手段が構成されている。表示データを生成する構成は主にＣＰＵが実行するソフトウェアにより構成され、それを表示信号に変換する構成はハードウェアにより構成されている。
【００２９】
コンテンツ制御部１４は、例えば、録画予約の制御や録画番組の削除処理（対象のコンテンツデータをハードディスク１３から消去する処理）なども行うようになっている。また、リアルタイム操作による録画時や予約録画時には、番組情報管理制御部１６に番組録画することを通知して録画番組の番組情報を管理データに追加させる。また、録画番組の削除処理を行ったときにも、番組情報管理制御部１６に削除したことを通知して、対応する録画番組の番組情報を管理データから削除させる。
【００３０】
また、図示は省略するが、この録画装置１には、リモートコントローラ（以下、リモコンと呼ぶ）と、このリモコンからの信号を受信する受光器が設けられ、リモコン信号が番組情報管理制御部１６やコンテンツ制御部１４に送られるようになっている。リモコンには、メニューボタン、カーソル移動用の上下左右ボタン、決定ボタンのほか、種々の操作ボタンが設けられている。
【００３１】
図２は、放送番組の番組情報の一例を示すデータチャートである。
【００３２】
番組情報管理制御部１６で管理される録画番組の番組情報は、デジタル放送信号に含まれる番組付帯情報から取得される。地上デジタル放送などでは、図２に示すように、トランスポートストリームと呼ばれるパケットデータにより、放送番組のコンテンツデータ（映像データや音声データ）が伝送されているが、トランスポートストリームのパケットには、放送番組の各種情報が格納された番組付帯情報も含まれている。
【００３３】
この番組付帯情報のパケットには、放送局や放送系列を示すデータ、放送時間を示したデータ、番組タイトルや番組の詳細情報（出演者やストーリ紹介など）を示したテキストデータ、放送番組の大ジャンル区分を示す大ジャンル情報、大ジャンルをさらに区分した中ジャンルの区分を示す中ジャンル情報など、種々の番組情報が格納されている。
【００３４】
なお、録画番組の番組情報は、このトランスポートストリームの番組付帯情報から取得するのに限らず、例えば、放送信号やインターネットで配信されている電子番組表から録画した放送番組の番組情報を抽出することで取得するなど、種々の取得方法を適用することが出来る。
【００３５】
番組情報管理制御部１６は、上記の番組情報のうちコンテンツ制御部１４により録画記録された放送番組の番組情報を管理してハードディスク１３の所定領域に格納し、必要なときにそれを読み出して各番組情報の中から所定情報を抽出してリスト配列したり、メニュー表示制御部１７に情報を送って所定形態の表示データを生成させたりする。
【００３６】
以下、図３〜図１１を参照しながら、上記の番組情報管理制御部１６とメニュー表示制御部１７により生成されるメニュー画面や録画番組リストの表示画面の内容について説明する。
［第１の実施の形態］
【００３７】
図３は、録画番組管理表示のメニュー画面の一例を示す画像図、図４は、第１実施形態の録画番組リストの表示例を示す画像図、図５は、この第１実施形態の録画番組リストで中ジャンル区分の操作を行った場合の画像図、図６は、この第１実施形態の録画番組リストで同一ジャンル内の選択を行うときの状態を説明する画像図である。
【００３８】
この実施の形態の録画装置１においては、ユーザが例えば再生のために所定の録画番組を捜す場合に、先ず、リモコンのメニューボタン等を押して所定操作を行うことで、図３のような録画番組管理表示のメニュー画面３０を表示させる。
【００３９】
このメニュー画面３０は、録画番組リストの表示方法をユーザに選択させる画面であり、複数の表示方式を選択させる複数の表示選択ボタン３１〜３７と、この画面を終了させる終了ボタン３８と、受け付けられるリモコンキーを示した説明表示３９とが、それぞれ表示されている。
【００４０】
表示選択ボタン３１〜３７には、例えば、録画日時順にリスト表示させる「通常の表示」の選択ボタン３１と、ジャンル別にリスト表示させるの選択ボタン３２と、放送ネットワーク別・放送局・系列局別にリスト表示させる選択ボタン３３と、番組タイトル名別にリスト表示させる選択ボタン３４と、放送時間帯別にリスト表示させる選択ボタン３５と、録画曜日別にリスト表示させる選択ボタン３６と、録画継続時間別にリスト表示させる選択ボタン３７とが設けられている。
【００４１】
この録画番組管理表示のメニュー画面３０において、ユーザがリモコンの上下ボタンを操作して何れかの選択ボタン３１〜３７を選択し、且つ、決定ボタンを押すことで、この選択決定したリスト表示画面に移行することが出来る。そして、例えば「ジャンル別表示」の選択ボタン３２を押したときに、図４の第１実施形態の録画番組リストの表示画面４０に移行する。
【００４２】
第１実施形態の録画番組リストの表示画面４０は、図４に示すように、最上部に配置された表示画面のタイトル表示４１と、録画番組のリスト表示が行われる画面中央から左下隅まで占める第１表示枠４３と、この第１表示枠４３の上部に配置され選択された録画番組の詳細情報が表示される第２表示枠４２と、第１表示枠４３の右側に配置され録画番組を選択決定した場合に選択可能とされる操作ボタン４４ａ〜４４ｈが表示される第３表示枠４４とを備えたものである。
【００４３】
第１表示枠４３のリスト表示は、横長の複数のリスト枠４３ａ〜４３ｇを縦方向に配列するとともに、各リスト枠４３ａ〜４３ｇにそれぞれ番組情報の主要情報を表示するものである。リスト枠４３ａ〜４３ｇに表示される録画番組は録画日時の若い順に配列され、ユーザはリモコンの上下ボタンを操作することで、リスト枠４３ａ〜４３ｇの選択を上下に移動させたり、リスト枠４３ａ〜４３ｇのページをスクロール或いはページ送りを行うことが出来る。選択されたリスト枠は文字と枠内の色が変ったり反転表示されたりすることでユーザが認識できるようにされる（図４ではハッチングにより選択状態を示している）。
【００４４】
さらに、この第１表示枠４３のリスト表示では、大ジャンル情報に基づき同一の大ジャンルの録画番組は一つにまとめられて１つのリスト枠で表示されるようになっている。また、このように複数の録画番組がまとめられているリスト枠については、２つの枠を３次元的に重ねた多重表示態様でリスト枠の表示がなされるようになっている。図４では、リスト枠４３ａ，４３ｃ，４３ｆが多重表示態様のリスト枠である。
【００４５】
多重表示態様のリスト枠が選択されている場合には、ユーザがリモコンの左右ボタンを操作することで、リスト枠のトップに表示される録画番組の情報が同一ジャンルの複数の録画番組の中で順番に入れ替えられていくようになっている。
【００４６】
リスト表示の上部と下部には、上下ボタンにより選択やページの送りが出来ることを示す上下に向いた三角マークが表示され、多重表示態様のリスト枠の左右には、左右ボタンにより同一ジャンル内の複数の録画番組を順に切り換えられることを示す左右を向いた三角マークが表示されている。
【００４７】
リスト枠４３ａ〜４３ｇには、例えば、未視聴の場合にそれを示す「ＮＥＷ」の表示や、録画日時、番組タイトル、番組ジャンルなど、録画番組の主要情報が表示される。また、同一ジャンルの録画番組がまとめられている多重表示態様のリスト枠には、まとめられている番組の総数とトップに来ている録画番組の番号（例えば日付の若い順の通し番号）とを示す番号表示（図４のリスト枠４３ｆでは「１／５」）が表示されている。
【００４８】
また、第２表示枠４２の詳細情報には、選択されている録画番組の詳細情報に加えて、多重表示態様のリスト枠が選択されている場合には、そのリスト枠にまとめられている大ジャンルの名称や、そのリスト枠にまとめられている録画番組の総数の表示など、ジャンル区分に関する情報表示を行うようにしても良い。
【００４９】
第３表示枠４４の操作ボタン４４ａ〜４４ｈは、リスト枠４３ａ〜４３ｇの何れかを選択してリモコンの決定ボタンを押した際に、カーソルのフォーカスが移行されて選択可能になるものである。操作ボタン４４ａ〜４４ｈには、選択決定され録画番組を再生させる操作ボタン４４ａと、多重表示態様のリスト枠が選択決定されている場合に同一ジャンルの複数の録画番組を連続再生する操作ボタン４４ｂと、簡単に削除されないように選択決定されている録画番組にロックを掛ける操作ボタン４４ｃと、選択決定されている録画番組を削除する操作ボタン４４ｄと、中ジャンル区分のリスト表示に切り換える操作ボタン４４ｅと、カーソルのフォーカスを第１表示枠４３に戻す操作ボタン４４ｆと、録画番組管理画面の表示を終了する操作ボタン４４ｈ等が含まれる。
【００５０】
なお、連続再生の操作ボタン４４ｂを選択決定したときには、同一ジャンルの複数の録画番組を古い順に一番最初から連続再生するようにしても良いし、或いは、多重表示態様のリスト枠のトップに選択されている番組から古い順に連続再生するようにしても良い。
【００５１】
また、第３表示枠４４の上部には、選択されている録画番組が、番組リストにある録画番組のトータル数のうち何番目の番組かを示す番号表示（図４では「１／４７２」）がなされている。この番号表示はどの表示枠に表示するようにしても良い。
【００５２】
また、この実施形態の録画番組リストにおいては、「中ジャンル区分」の操作ボタン４４ｅを選択して決定することで、そのときに選択されている多重表示態様のリスト枠に集約されている複数の録画番組について、図５に示すように、さらに中ジャンルで区分したリスト表示が第１表示枠４３で行われるようになっている。例えば、図４と図５に示すように、大ジャンル区分が「スポーツ」で集約されたリスト枠４３ａを選択した状態で、「中ジャンル区分」の操作ボタン４４ｅを選択し決定すると、第１表示枠４３のリスト表示が切り換えられて、中ジャンルの「サッカー」や「相撲・格闘技」でまとめられたリスト表示がなされる。
【００５３】
そして、図５のリスト表示において、多重表示態様のリスト枠を選択して、ユーザがリモコンの左右ボタンを操作することで、リスト枠のトップに表示されている録画番組の情報が同一の中ジャンルの録画番組の中で順番に入れ替えられていくようになっている。図５から図６にかけて、リモコンの右ボタンが押されて、リスト枠４３ａのトップの表示されている録画番組が１つずらされている例を表わしている。
【００５４】
この第１実施形態の録画番組リストによれば、同一ジャンルの録画番組が一つにまとめられてリスト表示されるので、非常に多数の録画番組が保存されている場合に、リスト数を減らしてユーザが録画番組を探しやすく出来る。また、ユーザは、大ジャンルから中ジャンルへと階層的にたどって容易に所望の録画番組を捜し出すことが出来る。また、同一ジャンルの録画番組のリスト枠は多重表示態様にされているので、同一ジャンルの複数の録画番組がまとめられていることをユーザに直感的に認識させることが出来る。
［第２の実施の形態］
【００５５】
図７は、第２実施形態の録画番組リストの表示例を示す画像図、図８は、この録画番組リストで中ジャンル区分の操作をした場合の画像図、図９は、この録画番組リストで同一ジャンル内の録画番組の選択を行うときの状態を説明する画像図である。
【００５６】
この第２実施形態の録画番組リストも、第１実施形態と同様に、図３のメニュー画面３０において「ジャンル別表示」の選択ボタン３２を選択決定したときに表示されるものである。この第２実施形態の録画番組リストの表示画面４０Ａは、録画番組のリスト表示が行われる第１表示枠５３の構成が第１実施形態と異なり、その他は、第１実施形態とほぼ同様のものである。
【００５７】
この第２実施形態における第１表示枠５３のリスト表示では、録画番組はリスト枠５３ａ〜５３ｇに録画日時順に配列され、さらに、同一ジャンルの複数の録画番組が保存されている当該ジャンルの録画番組については、３次元的に２つの枠を重ねた多重表示態様のリスト枠に表示されるようになっている。第１実施形態の場合と異なり、同一ジャンルの複数の録画番組は、１つにまとめられることなく、それぞれが個々のリスト枠５３ａ〜５３ｇに表示される。
【００５８】
図７に示すように大ジャンル情報に基づき区分されたリスト表示においては、ユーザが多重表示態様のリスト枠を選択した状態で、第３表示枠４４の「中ジャンル区分」の操作ボタン４４ｅを選択決定することで、中ジャンル情報に基づき区分されたリスト表示に切り換えることが出来る。すなわち、図６に示すように選択されている大ジャンルの番組情報のみが抽出されてこれらが中ジャンル情報に基づき区分されたリスト表示がなされる。中ジャンル区分のリスト表示では、リスト枠５３ａ〜５３ｇに表示されるジャンル名称は中ジャンルの名称に変えられる。
【００５９】
さらに、この中ジャンル区分のリスト表示において、ユーザが多重表示態様のリスト枠を選択した状態でリモコンの決定ボタンを押すと、図９に示すように、選択決定された録画番組の同一中ジャンルの録画番組のみが抽出されてリスト枠５３ａ，５３ｂ…に表示される。例えば、図８の選択状態で決定ボタンを押すと、選択決定された「サッカー」と同一中ジャンルの録画番組のみが抽出されて、これらが図９のようにリスト表示される。
【００６０】
この状態で、何れかの録画番組を選択決定して、第３表示枠４４の操作ボタンを押すことで、該当の録画番組についての操作を行うことが出来る。また、「戻る」の操作ボタン４４ｆを押すことで、再び図７や図８のリスト表示に戻ることが出来る。
【００６１】
なお、図８から図９へのリスト表示の切り換えは、例えばリモコンの左右ボタンなどその他の操作ボタンを押すことで切り換わるようにし、決定ボタンが押された場合には第３表示枠４４にフォーカスが移るようにしても良い。
【００６２】
このような第２実施形態の録画番組リストによれば、特定の録画番組を捜すのではなく、なんとなく見たい録画番組を捜すような場合に有効な表示画面となる。すなわち、ユーザは、第１表示枠５３の録画番組リストにおいて録画番組の一覧を眺めつつ、この録画番組と似たような感じの番組を視聴したいなぁと思う録画番組を見つけ出す。見つけたら、この録画番組のリスト枠を選択決定し、「中ジャンル区分」の操作ボタン４４ｅを選択決定したり、中ジャンル区分のリスト表示のリスト枠を選択決定することで、これらと同一ジャンルの録画番組のみが抽出されてリスト表示される。なので、その中から、未視聴のものや更に好みの録画番組を捜すことで、その時々の感覚に一番合った丁度良い録画番組を容易に捜し出すことが出来る。
［第３の実施の形態］
【００６３】
図１０は、第３実施形態の録画番組リストの表示例を示す画像図である。
【００６４】
この第３実施形態の録画番組リストは、第１実施形態の録画番組リストと第２実施形態の録画番組リストとをユーザにより切り換えられるようにしたものである。
【００６５】
すなわち、図１０の表示画面４０Ｂのように、第３表示枠４４の操作ボタンとして、第１表示枠６３の表示方法を、図４の録画番組リストの表示から図７の録画番組リストの表示へ或いはその逆へ切り換える「表示切換」の操作ボタン４４ｇを設け、この操作ボタン４４ｇを選択決定することで、上記録画番組リストの表示が切り換えられるように構成する。
【００６６】
この第３実施形態の録画番組リストによれば、ユーザの好みに合わせて録画番組リストの表示を切り換えて使用することが出来る。また、録画番組の捜索時にもリスト表示画面の切り換えが可能なので、両方のリスト表示画面を使い分けながら捜索を行うようなユーザにも対応することが出来る。
［第４の実施の形態］
【００６７】
図１１は、第４の実施の形態の録画番組管理表示としてメニュー画面の第２例を示す画像図である。
【００６８】
この第４実施形態の録画番組管理表示は、メニュー画面３０Ａにおいて、ジャンル別表示を選択したときに、大ジャンル区分で表示するか中ジャンル区分で表示するかを選択できるようにしたものである。例えば、ジャンル別表示を選択する選択ボタン３２Ａに、大ジャンルの選択枠７１と中ジャンルの選択枠７２を表示させ、リモコンの左右ボタンでこれらを選択できるようにする。
【００６９】
そして、大ジャンルの選択枠７１が選択されてジャンル別表示が実行されたときには、上記の第１〜第３の実施の形態で示した大ジャンルで区分された録画番組リストが表示されるようにする。一方、選択枠７２が選択されてジャンル別表示が実行されたときには、当初から中ジャンル情報に基づき区分され生成された録画番組リストが表示されるようにする。
【００７０】
なお、このような大ジャンル区分と中ジャンル区分の切換えは、録画番組管理表示のメニュー画面３０Ａにて行うのではなく、設定画面において予め設定し保存しておけるようにしても良い。
【００７１】
この第４実施形態の録画番組管理表示によれば、当初から中ジャンル区分の録画番組リストを表示するように出来るので、大ジャンルの区分は大きすぎるため省略して使いたい思うユーザにも対応することが出来る。
【００７２】
なお、本発明は、上記実施の形態に限られるものではなく、様々な変更が可能である。例えば、上記実施の形態では、メニュー画面からジャンル別表示を選択することで、リスト表示画面に移行するようにしたが、メニュー画面を介さずに一発でリスト表示画面に移行するようにしても良い。また、リスト表示画面を出力させる操作はどのようなものであっても良い。
【００７３】
その他、録画番組が保存される記憶媒体の種類、管理する番組情報を記録する媒体や記録方法など、実施の形態で示した具体的な構成は、発明の趣旨を逸脱しない範囲で適宜変更可能である。
【産業上の利用可能性】
【００７４】
本発明は、例えば、放送番組の録画機器に適用することが出来る。また、外部の録画機器を制御する機能を有したテレビ受像機やチューナ装置などの各種ＡＶ（オーディオビジュアル）装置に適用することも出来る。
【図面の簡単な説明】
【００７５】
【図１】本発明の実施の形態の録画番組管理装置を搭載した録画装置の全体構成を示すブロック図である。
【図２】放送番組の番組情報の一例を示すデータチャートである。
【図３】録画番組管理表示のメニュー画面の一例を示す画像図である。
【図４】第１実施形態の録画番組リストの表示例を示す画像図である。
【図５】第１実施形態の録画番組リストで中ジャンル区分の操作をした場合の画像図である。
【図６】第１実施形態の録画番組リストで同一ジャンル内の録画番組の選択を行うときの状態を説明する画像図である。
【図７】第２実施形態の録画番組リストの表示例を示す画像図である。
【図８】第２実施形態の録画番組リストで中ジャンル区分の操作をした場合の画像図である。
【図９】第２実施形態の録画番組リストで同一ジャンル内の録画番組の選択を行うときの状態を説明する画像図である。
【図１０】第３実施形態の録画番組リストの表示例を示す画像図である。
【図１１】録画番組管理表示のメニュー画面の第２例を示す画像図である。
【符号の説明】
【００７６】
１      録画装置
１２    番組情報分離部
１３    ハードディスク
１４    コンテンツ制御部
１６    番組情報管理制御部
１７    メニュー表示制御部
３０，３０Ａ  メニュー画面
４０    録画番組リストの表示画面（第１リスト表示画面）
４０Ａ  録画番組リストの表示画面（第２リスト表示画面）
４２    第２表示枠
４３，５３，６３  第１表示枠
４３ａ〜４３ｇ，５３ａ〜５３ｇ，６３ａ〜６３ｇ  リスト表示枠
４４    第３表示枠
４４ｅ  中ジャンル区分へ切換え用の操作ボタン
４４ｇ  表示切換の操作ボタン
７１    大ジャンルの選択枠
７２    中ジャンルの選択枠
【図１】
0004399741.tif 000002
【図２】
0004399741.tif 000003
【図３】
0004399741.tif 000004
【図４】
0004399741.tif 000005
【図５】
0004399741.tif 000006
【図６】
0004399741.tif 000007
【図７】
0004399741.tif 000008
【図８】
0004399741.tif 000009
【図９】
0004399741.tif 000010
【図１０】
0004399741.tif 000011
【図１１】
0004399741.tif 000012